【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
注入ポンプシステムであって、前記注入ポンプシステムは、
薬剤リザーバおよび多極モータ回転子を含む使い捨てアセンブリと、
耐久性アセンブリであって、前記耐久性アセンブリは、エネルギー供給源と、モータコイルと、前記多極モータ回転子の回転位置を感知するように構成されているセンサと、前記エネルギー供給源に動作可能に接続され、前記多極モータ回転子の感知された回転位置に基づいて前記モータコイルへの電源供給を制御するように構成されているプロセッサとを含む、耐久性アセンブリと
を備え、
前記耐久性アセンブリおよび前記使い捨てアセンブリは、直接機械的結合または電気的接続を伴わずに前記モータコイルの励起が前記多極モータ回転子に回転させるような様式において、互いに取り付けられるように構成されている、注入ポンプシステム。
【請求項２】
前記エネルギーは、電磁トルク結合を通して伝達される、請求項１に記載の注入ポンプシステム。
【請求項３】
前記モータコイルおよび前記多極モータ回転子は、間隙によって分離されている、請求項１に記載の注入ポンプシステム。
【請求項４】
前記耐久性アセンブリは、筐体を含み、前記筐体の一部は、前記間隙内に位置している、請求項３に記載の注入ポンプシステム。
【請求項５】
前記使い捨てアセンブリは、ベースプレートと、カバーとを含み、前記カバーの一部は、前記間隙内に位置している、請求項３に記載の注入ポンプシステム。
【請求項６】
前記間隙は、０．５ｍｍ〜２．０ｍｍである、請求項３に記載の注入ポンプシステム。
【請求項７】
前記薬剤リザーバは、バレルと、前記バレル内のプランジャとを含み、
前記多極モータ回転子は、前記多極モータ回転子の回転が前記プランジャの移動をもたらすように、前記プランジャに機械的に結合されており、
前記プロセッサは、前記モータコイルへの電源供給を制御することによって、プランジャ速度およびプランジャ位置を制御する、請求項１に記載の注入ポンプシステム。
【請求項８】
前記エネルギー供給源は、バッテリを含む、請求項１に記載の注入ポンプシステム。
【請求項９】
前記バッテリは、１つ以上の一次電池または１つ以上の再充電可能バッテリのいずれかを備えている、請求項８に記載の注入ポンプシステム。
【請求項１０】
前記使い捨てアセンブリは、ベースプレートを含み、
前記多極モータ回転子は、前記ベースプレートに対して垂直である回転の軸を画定する、請求項１に記載の注入ポンプシステム。
【請求項１１】
方法であって、前記方法は、
薬剤リザーバおよび多極モータ回転子を含む注入ポンプ使い捨てアセンブリが、エネルギー供給源とモータコイルとセンサとを伴う注入ポンプ耐久性アセンブリに、前記エネルギー供給源からのエネルギーが、直接機械的結合または電気的接続を伴わずに前記使い捨てアセンブリに伝達され、かつ、プランジャを前記リザーバ内で移動させる機械力に変換され、前記センサが、前記多極モータ回転子の回転位置を感知するように、固定された後に、コントローラを用いて、前記センサからの出力に基づいて、前記多極モータ回転子の回転速度を閉ループ制御するステップを含む、方法。
【請求項１２】
前記エネルギー供給源は、１つ以上のバッテリを含む、請求項１１に記載の方法。
【請求項１３】
前記注入ポンプ耐久性アセンブリおよび前記注入ポンプ使い捨てアセンブリは、相互に固定されたときに間隙が前記モータコイルと前記多極モータ回転子との間にあるように構成される、請求項１１に記載の方法。
【請求項１４】
前記耐久性アセンブリおよび前記使い捨てアセンブリのうちの少なくとも１つの一部は、前記間隙内に位置している、請求項１３に記載の方法。
【請求項１５】
エネルギーが、電磁トルク結合を通して、前記エネルギー供給源から前記使い捨てアセンブリに伝達される、請求項１１に記載の方法。
【手続補正２】
【補正対象書類名】明細書
【補正対象項目名】０００６
【補正方法】変更
【補正の内容】
【０００６】
本発明のうちの少なくとも１つによる使い捨てアセンブリは、ベースプレートと、ベースプレート上の薬剤リザーバと、リザーバ内で移動可能なプランジャと、モータ回転子と、歯車列とを含む。モータ回転子は、電磁エネルギーを使い捨てアセンブリの外側から受け取り得、歯車列は、その電磁エネルギーをプランジャをリザーバ内で移動させる機械的力に変換し得る。
本発明は、例えば、以下を提供する。
（項目１）
注入ポンプシステムであって、前記注入ポンプシステムは、
エネルギー供給源を含む耐久性アセンブリと、
薬剤リザーバを含む使い捨てアセンブリと
を備え、
前記耐久性アセンブリおよび前記使い捨てアセンブリは、前記薬剤リザーバから薬剤を分注するために必要とされるエネルギーが、前記エネルギー供給源によって供給され、直接機械的結合または電気的接続を伴わずに、前記耐久性アセンブリから前記使い捨てアセンブリに伝達されるような様式において、互いに取り付けられるように構成されている、注入ポンプシステム。
（項目２）
前記エネルギーは、電磁トルク結合を通して伝達される、項目１に記載の注入ポンプシステム。
（項目３）
前記耐久性アセンブリは、エネルギーを前記エネルギー供給源から受け取るコイルアセンブリを含み、
前記使い捨てアセンブリは、前記コイルアセンブリに隣接して位置付けられている磁気モータ回転子を含み、
前記コイルの励起は、前記モータ回転子に回転させる、項目１に記載の注入ポンプシステム。
（項目４）
前記コイルアセンブリおよび前記磁気モータ回転子は、間隙によって分離されている、項目３に記載の注入ポンプシステム。
（項目５）
前記耐久性アセンブリは、筐体を含み、前記筐体の一部は、前記間隙内に位置している、項目４に記載の注入ポンプシステム。
（項目６）
前記使い捨てアセンブリは、ベースプレートと、カバーとを含み、前記カバーの一部は、前記間隙内に位置している、項目４に記載の注入ポンプシステム。
（項目７）
前記間隙は、０．５ｍｍ〜２．０ｍｍである、項目４に記載の注入ポンプシステム。
（項目８）
前記薬剤リザーバは、バレルと、前記バレル内のプランジャとを含み、
前記磁気モータ回転子は、前記プランジャに機械的に結合されている、項目３に記載の注入ポンプシステム。
（項目９）
前記エネルギー供給源は、バッテリを含む、項目１に記載の注入ポンプシステム。
（項目１０）
前記バッテリは、１つ以上の一次電池または１つ以上の再充電可能バッテリのいずれかを備えている、項目９に記載の注入ポンプシステム。
（項目１１）
方法であって、前記方法は、
エネルギー供給源を伴う注入ポンプ耐久性アセンブリを薬剤リザーバを伴う注入ポンプ使い捨てアセンブリに固定するステップを含み、前記エネルギー供給源からのエネルギーは、直接機械的結合または電気的接続を伴わずに前記使い捨てアセンブリに伝達され、プランジャを前記リザーバ内で移動させる機械力に変換される、方法。
（項目１２）
前記エネルギー供給源は、１つ以上のバッテリを含む、項目１１に記載の方法。
（項目１３）
前記耐久性アセンブリは、コイルアセンブリを含み、
前記使い捨てアセンブリは、磁気モータ回転子を含み、
前記注入ポンプ耐久性アセンブリを前記注入ポンプ使い捨てアセンブリに固定するステップは、間隙がコイルアセンブリと前記磁気回転子との間にあるように、前記注入ポンプ耐久性アセンブリを前記注入ポンプ使い捨てアセンブリに固定することを含む、項目１１に記載の方法。
（項目１４）
前記耐久性アセンブリおよび前記使い捨てアセンブリのうちの少なくとも１つの一部は、前記間隙内に位置している、項目１３に記載の方法。
（項目１５）
エネルギーが、電磁トルク結合を通して、前記エネルギー供給源から前記使い捨てアセンブリに伝達される、項目１１に記載の方法。
（項目１６）
使い捨てアセンブリであって、前記使い捨てアセンブリは、
ベースプレートと、
前記ベースプレート上の薬剤リザーバと、
前記リザーバ内で移動可能なプランジャと、
電磁エネルギーを前記使い捨てアセンブリの外側から受け取るモータ回転子と、
前記モータ回転子の回転を前記プランジャを移動させる機械的力に変換する歯車列と
を備えている、使い捨てアセンブリ。
（項目１７）
前記使い捨てアセンブリは、モータ固定子を含まない、項目１６に記載の使い捨てアセンブリ。
（項目１８）
前記モータ回転子は、前記ベースプレートと平行なディスクを備えている、項目１６に記載の使い捨てアセンブリ。
（項目１９）
前記モータ回転子は、ディスク形状である、項目１６に記載の使い捨てアセンブリ。